(57)【要約】【課題】被切断体の切断回数を切断時の刃部（外刃及び内刃）の動きに連動して自動的に計測し、切断作業後に切断された被切断体の数量を数える手間をなくして切断作業の効率化を図ることが可能であるとともに、切断作業中における注意力を分散させることなく集中させて不良品発生の看過を防止することが可能なカウンター付きハサミを提供する。【解決手段】外刃１１ａ及び内刃１１ｂが互いに交差、噛み合うことによって、被切断体を切断することが可能なハサミ本体１に、被切断体が切断された時に互いに接触することによって信号を発信する一対の接点部２１と、接点部２１から発信された信号を受信する検知部２２と、検知部２２で受信された信号に基づき被切断体の切断回数を計測する計測部２３とを備えたカウンター手段２を配設する。【選択図】図１
2006061555.tif 000002
【特許請求の範囲】
【請求項１】
外刃及び内刃からなる刃部と、支点部と、把持部とを備え、前記外刃及び内刃が前記支点部を中心として互いに交差、噛み合うことによって、被切断体を切断することが可能なハサミ本体に、前記被切断体が切断された時に互いに接触することによって信号を発信する一対の接点部と、前記接点部から発信された信号を受信する検知部と、前記検知部で受信された信号に基づき前記被切断体の切断回数を計測する計測部とを備えたカウンター手段が配設されてなることを特徴とするカウンター付きハサミ。
【請求項２】
前記カウンター手段を構成する前記一対の接点部が、前記ハサミ本体における前記支点部と前記把持部とのほぼ中間に位置する箇所に配設された請求項１に記載のカウンター付きハサミ。
【請求項３】
前記カウンター手段を構成する前記検知部及び前記計測部が、前記ハサミ本体における前記支点部の近傍に配設された請求項１又は２に記載のカウンター付きハサミ。
【請求項４】
前記カウンター手段が、前記被切断体の切断回数を表示する表示部を、前記検知部及び前記計測部の近傍にさらに備えた請求項１〜３のいずれかに記載のカウンター付きハサミ。
【請求項５】
前記カウンター手段が、前記表示部の表示をゼロの状態にリセットするリセットボタン、前記被切断体の切断回数を１回毎に計測する１回計測ボタン及び前記被切断体の切断回数を複数回毎に計測する複数回計測ボタンからなる群から選ばれる少なくとも一のボタンを、前記検知部及び前記計測部の近傍にさらに備えた請求項１〜４のいずれかに記載のカウンター付きハサミ。
【請求項６】
前記接点部から発信される信号が、電気信号、磁力信号、光信号又は圧電信号である請求項１〜５のいずれかに記載のカウンター付きハサミ。
【発明の詳細な説明】
【技術分野】
【０００１】
本発明は、カウンター付きハサミに関する。さらに詳しくは、被切断体の切断回数を切断時の刃部（外刃及び内刃）の動きに連動して自動的に計測し、切断作業後に切断された被切断体の数量を数える手間をなくして切断作業の効率化を図ることが可能であるとともに、切断作業中における注意力を分散させることなく集中させて不良品発生の看過を防止することが可能なカウンター付きハサミに関する。
【背景技術】
【０００２】
従来から種々の形状のハサミが用いられているが、その機能としては、被切断体を切断するという本来の機能のみを有するものが大半であり、付加的な機能を有するものとしては、例えば、裁断、剪定、摘果などの作業の弊害にならず、かつ、ハサミの刃を破損したり磨耗させることなく、鉄線や電気線を簡単かつ精密に切断できる、鉄線の切断機能を備えたハサミが提案されているにすぎない（特許文献１参照）。
【０００３】
被切断体の切断回数（刃部（外刃及び内刃）の噛合せ回数）を計測する機能を有するものは未だ提案されておらず、被切断体の切断回数の把握は、切断作業後に切断された被切断体の数量を数えるか、切断作業中に切断回数を記憶しておくか、又は切断作業中に切断回数を紙等にメモしておくしかないのが現状である。
【特許文献１】特開２００３−３８８７０号公報
【発明の開示】
【発明が解決しようとする課題】
【０００４】
しかしながら、被切断体の切断回数を把握するために、切断作業後に切断された被切断体の数量を数えるのは、余計な手間を必要とし切断作業を煩雑化するという問題があり、また、切断作業中に切断回数を記憶したり、切断作業中に切断回数を紙等にメモしておくのは、切断作業中における不良品の発生の監視等に向けられるべき本来の注意力を分散させることになり、不良品の発生等が看過されてしまうという問題があった。
【０００５】
本発明は、上記問題を解決するためになされたものであり、被切断体の切断回数を切断時の刃部（外刃及び内刃）の動きに連動して自動的に計測し、切断作業後に切断された被切断体の数量を数える手間をなくして切断作業の効率化を図ることが可能であるとともに、切断作業中における注意力を分散させることなく集中させて不良品発生の看過を防止することが可能なカウンター付きハサミを提供することを目的とする。
【課題を解決するための手段】
【０００６】
上記目的を達成するため、本発明によれば、以下のカウンター付きハサミが提供される。
【０００７】
［１］外刃及び内刃からなる刃部と、支点部と、把持部とを備え、前記外刃及び内刃が前記支点部を中心として互いに交差、噛み合うことによって、被切断体を切断することが可能なハサミ本体に、前記被切断体が切断された時に互いに接触することによって信号を発信する一対の接点部と、前記接点部から発信された信号を受信する検知部と、前記検知部で受信された信号に基づき前記被切断体の切断回数を計測する計測部とを備えたカウンター手段が配設されてなることを特徴とするカウンター付きハサミ。
【０００８】
［２］前記カウンター手段を構成する前記一対の接点部が、前記ハサミ本体における前記支点部と前記把持部とのほぼ中間に位置する箇所に配設された前記［１］に記載のカウンター付きハサミ。
【０００９】
［３］前記カウンター手段を構成する前記検知部及び前記計測部が、前記ハサミ本体における前記支点部の近傍に配設された前記［１］又は［２］に記載のカウンター付きハサミ。
【００１０】
［４］前記カウンター手段が、前記被切断体の切断回数を表示する表示部を、前記検知部及び前記計測部の近傍にさらに備えた前記［１］〜［３］のいずれかに記載のカウンター付きハサミ。
【００１１】
［５］前記カウンター手段が、前記表示部の表示をゼロの状態にリセットするリセットボタン、前記被切断体の切断回数を１回毎に計測する１回計測ボタン及び前記被切断体の切断回数を複数回毎に計測する複数回計測ボタンからなる群から選ばれる少なくとも一のボタンを、前記検知部及び前記計測部の近傍にさらに備えた前記［１］〜［４］のいずれかに記載のカウンター付きハサミ。
【００１２】
［６］前記接点部から発信される信号が、電気信号、磁力信号、光信号又は圧電信号である前記［１］〜［５］のいずれかに記載のカウンター付きハサミ。
【発明の効果】
【００１３】
本発明のカウンター付きハサミは、被切断体の切断回数を切断時の刃部（外刃及び内刃）の動きに連動して自動的に計測し、切断作業後に切断された被切断体の数量を数える手間をなくして切断作業の効率化を図ることが可能であるとともに、切断作業中における注意力を分散させることなく集中させて不良品発生の看過を防止することが可能である。
【発明を実施するための最良の形態】
【００１４】
以下、本発明を実施するための最良の形態を図面を参照しつつ具体的に説明する。
【００１５】
図１は、本発明のカウンター付きハサミの最良の形態を模式的に示す説明図である。
【００１６】
図１に示すように、本発明のカウンター付きハサミ１００は、外刃１１ａ及び内刃１１ｂからなる刃部１１と、支点部１２と、把持部１３（図１においては丸柄１３ａ及び平柄１３ｂからなる場合を示す）とを備え、外刃１１ａ及び内刃１１ｂが支点部１２を中心として互いに交差、噛み合うことによって、被切断体（図示せず）を切断することが可能なハサミ本体１に、被切断体が切断された時に互いに接触することによって信号を発信する一対の接点部２１（２１ａ、２１ｂ）と、接点部２１（２１ａ、２１ｂ）から発信された信号を受信する検知部２２と、検知部２２で受信された信号に基づき被切断体の切断回数を計測する計測部２３とを備えたカウンター手段２が配設されてなることを特徴とする。
【００１７】
本発明に用いられるハサミ本体１としては特に制限はなく、和ハサミ、洋ハサミのいずれであってもよい。具体的には、ラシャ切りハサミ、握りハサミ、洋裁ハサミ、手芸ハサミ等を挙げることができる。
【００１８】
カウンター手段２は、一対の接点部２１（２１ａ、２１ｂ）を備えている。このようなカウンター手段２を構成する一対の接点部２１（２１ａ、２１ｂ）としては、互いの接触によって確実に信号を発信することができるものであれば特に制限はないが、例えば、銅、銀等からなる一対の導電体の接触、非接触によって、電源を含む電気回路の電流をオン、オフするものを挙げることができる。一対の接点部２１（２１ａ、２１ｂ）は、例えば、接着剤等を用いて、外刃１ａ及び内刃１ｂに配設することができる。後述する信号を受信する検知部との接続としては、例えば、電源、接点部２１（２１ａ、２１ｂ）、検知部２２等の端子をそれぞれ直列に接続することを挙げることができる。
【００１９】
カウンター手段２は、一対の接点部２１（２１ａ、２１ｂ）を備えているとともに、一対の接点部２１（２１ａ、２１ｂ）から発信された信号を受信する検知部２２及び検知部２２で受信された信号に基づき被切断体の切断回数を計測する計測部２３をさらに備えている。
【００２０】
このようなカウンター手段２を構成する検知部２２としては、確実に信号を受信することが可能なものであれば特に制限はないが、例えば、ソレノイドを用いた位相差入力信号を検知する構成のものを挙げることができる。
【００２１】
このようなカウンター手段２を構成する計測部２３としては、確実に被切断体の切断回数を計測することができるものであれば特に制限はないが、例えば、リードイン／リードアウト出力付きの加算式プリセットカウンタ等を挙げることができる。
【００２２】
本発明において、一対の接点部２１（２１ａ、２１ｂ）は、ハサミ本体１における支点部１２と把持部１３（１３ａ、１３ｂ）とのほぼ中間に位置する箇所に配設されていることが、相互の確実な接触を実現するとともに、接触回数の誤カウントを防止することができることから好ましい。
【００２３】
本発明において、カウンター手段２を構成する検知部２２及び計測部２３は、ハサミ本体１における支点部１２の近傍に配設されていることが、カウント回数が読み取り易いこと及びカウントの切り替え作業が簡便であることから好ましい。
【００２４】
カウンター手段２は、被切断体の切断回数を表示する表示部２４をさらに備えていることが、切断作業中に被切断体の切断回数を目視により確認することができることから好ましい。表示部２４としては特に制限はないが、例えば、液晶表示板、ＬＥＤ表示板等を挙げることができる。表示部２４の駆動としては、例えば、一対の接点部２１（２１ａ、２１ｂ）からの電流（信号）を電子カウンタに接続する構成を挙げることができる。
【００２５】
カウンター手段２は、表示部２４の表示をゼロの状態にリセットするリセットボタン２５、被切断体の切断回数を１回毎に計測する１回計測ボタン２６及び被切断体の切断回数を複数回毎に計測する複数回計測ボタン２７からなる群から選ばれる少なくとも一のボタンを検知部２２及び計測部２３の近傍にさらに備えていることが、計測作業性を向上させることから好ましい。なお、図１においては、リセットボタン２５、１回計測ボタン２６及び複数回計測ボタン２７の全てを備えている場合を示す。
【００２６】
一対の接点部２１（２１ａ、２１ｂ）から発信される（検知部２２で受信される）信号としては特に制限はないが、例えば、電気信号、磁力信号、光信号又は圧電信号を挙げることができる。中でも、電気信号が、構造を簡便化することが可能であることから好ましい。
【産業上の利用可能性】
【００２７】
本発明のカウンター付きハサミは、被切断体の切断回数を把握する必要のある各種産業分野、例えば、粘着テープ（シート）製造加工業、ハーネス工業等の分野において有用である。
【図面の簡単な説明】
【００２８】
【図１】本発明のカウンター付きハサミの最良の形態を模式的に示す説明図である。。
【符号の説明】
【００２９】
１…ハサミ本体、２…カウンター手段、１１…刃部、１１ａ…外刃、１１ｂ…内刃、１２…支点部、１３…把持部、１３ａ…丸柄、１３ｂ…平柄、２１（２１ａ、２１ｂ）…一対の接点部、２２…検知部、２３…計測部、２４…表示部、２５…リセットボタン、２６…１回計測ボタン、２７…複数回計測ボタン、１００…カウンター付きハサミ。
【図１】
2006061555.tif 000003